(57)【要約】【課題】摩擦攪拌接合ツール３０を中空構造型材４０の片側からのみ移動させて、中空構造型材４０同士を接合することができ、しかも、ボビン型摩擦攪拌接合回転ツール３０を用いて接合するのに適した中空構造型材及びそれを用いた構造物の製造方法を提供することを目的とする。【解決手段】対向する２つの板４０ａ、４０ｂと前記両板を接続支持する複数のリブ板４０ｃとからなる中空構造型材４０において、前記対向する２つの板４０ａ、４０ｂは最も端のリブ板４０ｃとの接続部分よりも先端が延出しかつ前記対向する２つの板板４０ａ、４０ｂのうち一の板４０ａは他の板４０ｂよりも先端が短くしている。ボビンツール３０を用いて、２つの中空構造型材４０の他の板４０ｂ同士、次に、継手板４１と一の板４０ａとを摩擦攪拌接合して構造物を製造する。【選択図】      図１
2004243379.tif 000002
【特許請求の範囲】
【請求項１】
対向する２つの板と前記両板を接続支持する複数のリブ板とからなる中空構造型材において、
前記対向する２つの板は最も端のリブ板との接続部分よりも先端が延出しかつ前記対向する２つの板のうち一の板は他の板よりも先端が短いことを特徴する中空構造型材。
【請求項２】
請求項１に記載の中空構造型材において、前記一の板の先端に、継手板と接続できるとともに、前記一の板の外表面側から前記継手板をはめて位置決め固定するための継手形状が形成されていることを特徴する中空構造型材。
【請求項３】
請求項２に記載の中空構造型材において、前記継手形状として、前記一の板の先端側面が外表面側に段状となるよう形成されていることを特徴とする中空構造型材。
【請求項４】
請求項２に記載の中空構造型材において、前記継手形状として、前記一の板の先端側面が前記一の板の内表面から外表面に向かって開いた傾斜面に形成されていることを特徴する中空構造型材。
【請求項５】
対向する２つの板と前記両板を接続支持する複数のリブ板とからなる中空構造型材同士を摩擦接合して構造物を製造する構造物製造方法において、
前記対向する２つの板は最も端のそれぞれのリブ板との接続部分よりも先端が延出しかつ前記対向する２つの板のうち一の板は他の板よりも先端が短い前記中空構造型材となっていて、対向する回転面と前記回転面を繋ぐ回転軸とを先端に有するボビン型摩擦攪拌接合用回転ツールを一の板の先端同士の間隔からなる空間を移動させて他の板同士を摩擦攪拌により接合する工程と、
次に、前記ボビン型摩擦攪拌接合用回転ツールを用いて前記継手板と前記一の板とを摩擦攪拌により接合する工程とからなることを特徴とする構造物製造方法。
【請求項６】
２つの板同士を摩擦接合して構造物を製造する構造物製造方法において、
一方の板と他方の板との少なくとも一方に接着剤を塗布する工程と、
次に、前記一方の板と前記他方の板とを接着剤を塗った箇所で接触させて配置する工程と、
次に、前記一方の板と前記他方の板とを摩擦接合を行うことにより前記板同士を接合させる工程とからなることを特徴とする構造物製造方法。
【請求項７】
請求項５に記載の構造物製造方法において、前記継手板と前記一の板とを摩擦攪拌により接合する前に、前記継手板と前記一の板との少なくともいずれか一方に接着剤を塗布する工程を含むことを特徴とする構造物製造方法。
【発明の詳細な説明】
【０００１】
【発明の属する技術分野】
摩擦攪拌接合用回転ツールを用いて、摩擦攪拌により接合可能な板からなるハニカム構造の中空構造型材同士を接合して構造物を製造する技術に関し、特に、ボビン型摩擦攪拌接合回転ツールを用いて接合するのに適した中空構造型材及びそれを用いた構造物の製造方法に関する。
【０００２】
【従来の技術】
従来から、鉄道車両構造として、車両の左右の側構体、床構体、屋根構体等を、長手方向に延在する長尺の中空構造型材を用い、該中空構造型材を長手方向にのみ接合するだけで、前記側構体、床構体、屋根構体等を構成するものが知られている（例えば、特許文献１参照）。
【０００３】
このような中空構造型材同士の接合に関し、図９で示すように、中空構造型材である中空パネル２０は、垂直リブ２０ｂから下面板２０ｃが延びた形をしている。そして、先ずこの下面板２０ｃを突合せて接合し、次いで、この突き出した下面板２０ｃの上部の空いたところに、継手板２１をはめ、この継手板２１の両端を上面板２０ａ接合する。こうすることにより中空パネル２０の上下面板を一方の側のみから接合できるものが知られている。
【０００４】
しかしながら、摩擦攪拌接合回転ツール１１として、接合する板に対して回転面を一方からのみ押し付けて摩擦攪拌接合するプローブ型を用いているため、面板に押し付ける力を支えるための架台（ベッド）等の支持部材１３が必要である（例えば、特許文献２参照）。
【０００５】
【特許文献１】
特開平２−２４６８６３号公報（第二頁、第１図）
【特許文献２】
特開平１１−３１４１８１号公報（段落００２７、図９）
【０００６】
【発明が解決しようとする課題】
ところで、このような従来技術によれば、中空構造型材を用いて車両などの構造物を摩擦攪拌接合によって製作する場合において、架台等の支持部材が必要であった。中空構造型材を水平な状態で並べて接合する場合には、架台等の支持部材を必要とするものの、架台等の構造や架台等への中空構造型材の設置も簡単であった。
【０００７】
しかし、屋根構体、側構体、床構体をサブユニットとして組み立てて完成した車体とするときには、最終工程で、各構体は立体的に配置されているから、垂直の状態で接合する箇所があり、垂直面を支持する支持部材を車体内部側に設置する必要も生じ、このような支持部材を各接合箇所に一々セットするのは面倒な作業であると共に過大な設備が必要となる。
【０００８】
本発明は上記事情に鑑みて成されたものであり、この問題に対し、摩擦攪拌接合ツールを中空構造型材の片側からのみ移動させて、中空構造型材同士を接合することができ、しかも、支持部材を設ける必要のないようにするため、接合する板を対向する２つの回転面に挟んで摩擦攪拌接合をするボビン型摩擦攪拌接合回転ツールを用いて接合するのに適した中空構造型材及びそれを用いた構造物の製造方法を提供することを目的とする。
【０００９】
【課題を解決するための手段】
本発明は、上記課題を解決するため、以下の手段を採用することとした。
請求項１に記載の発明は、対向する２つの板と前記両板を接続支持する複数のリブ板とからなる中空構造型材において、前記対向する２つの板は最も端のリブ板との接続部分よりも先端が延出しかつ前記対向する２つの板のうち一の板は他の板よりも先端が短いことを特徴としている。
【００１０】
この構成により、中空構造型材同士を接合して構造物を製造するときに、中空構造型材が一の板も他の板もリブ板との接続部分よりも延出している部分を有する構成であるため、その部分をボビン型摩擦攪拌接合用回転ツールの回転面間で挟むことができ、ボビン型摩擦攪拌接合用回転ツールを用いて中空構造型材同士を接合できる。このためプロープ型の摩擦攪拌回転ツールを用いる場合のように、回転ツールを押し付ける力に抗するための支持部材を必要としない。
【００１１】
また、一の板の先端同士の間を摩擦攪拌接合用回転ツールの移動空間とすることができるため、他の板同士を接合するに際して、他の板の外側から摩擦攪拌接合用回転ツールを用いる必要がなく、中空構造型材を反転させることなく、一の板の側からの作業ですむ。一の板同士は平板からなる継手板を介して接続するが、一の板と継手板との接合も一の板の側から作業でき、どちらの板の接合作業も一の板側からの作業となり、作業及びそれに必要な設備が簡単になる。
【００１２】
請求項２に記載の発明は、請求項１に記載の中空構造型材において、前記一の板の先端に、継手板と接続できるとともに、前記一の板の外表面側から前記継手板をはめて位置決め固定するための継手形状が形成されていることを特徴としている。
【００１３】
この構成により、中空構造型材同士を接合するときに、継手板を一の板同士の間にはめて、継手板を介して一の板同士を接続するが、継手板を一の板の外表面側からはめて、継手板を一の板に対して位置決め固定できるので、操作が簡単である。
【００１４】
請求項３に記載の発明は、請求項１に記載の中空構造型材において、前記継手形状として、前記一の板の先端側面が外表面側に段状となるよう形成されていることを特徴としている。
【００１５】
この構成により、中空構造型材同士を接合するときに、継手板を一の板同士の間にはめて、継手板を介して一の板同士を接続するが、一の板の先端側面の段状形状が外表面側でへこんでいるため、継手板を一の板の外側からはめやすく、簡単に位置決め固定できる。さらに、例えば、継手板にも段状を形成すると固定したときより安定性がある。
【００１６】
請求項４に記載の発明は、請求項１に記載の中空構造型材において、前記継手形状として、前記一の板の先端側面が前記一の板の内表面から外表面に向かって開いた傾斜面に形成されていることを特徴としている。
【００１７】
この構成により、中空構造型材同士を接合するときに、一の板の先端側面の傾斜面に合わさる傾斜面を側面にもつ継手板を介して一の板同士を接続すると、一の板の先端側面は一の板の内表面から外表面に向かって開いた傾斜となっているため、継手板を一の板の外側からはめやすく、簡単に位置決め固定でき、かつ、継手板材と一の板との接合部分が傾斜面同士であるため、隙間ができ難いので、摩擦攪拌接合したときに欠陥が生じ難い。
【００１８】
請求項５に記載の発明は、対向する２つの板と前記両板を接続支持する複数のリブ板とからなる中空構造型材同士を摩擦接合して構造物を製造する構造物製造方法において、前記対向する２つの板は最も端のそれぞれのリブ板との接続部分よりも先端が延出しかつ前記対向する２つの板のうち一の板は他の板よりも先端が短い前記中空構造型材となっていて、対向する回転面と前記回転面を繋ぐ回転軸とを先端に有するボビン型摩擦攪拌接合用回転ツールを一の板の先端同士の間隔からなる空間を移動させて他の板同士を摩擦攪拌により接合する工程と、次に、前記ボビン型摩擦攪拌接合用回転ツールを用いて前記継手板と前記一の板とを摩擦攪拌により接合する工程とからなることを特徴としている。
【００１９】
この構成によると、中空構造型材同士を接合して構造物を製造するときに、中空構造型材が一の板も他の板もリブ板との接続部分よりも延出している部分を有する構成であるため、その部分をボビン型摩擦攪拌接合用回転ツールの回転面間で挟むところにでき、ボビン型摩擦攪拌接合用回転ツールを用いて中空構造型材同士を接合できる。このためプロープ型の摩擦攪拌回転ツールを用いる場合のように、回転ツールを押し付ける力に抗するための架台など支持部材を必要としないので、このような支持部材の準備や取り外しという操作が不要となり、製造方法が簡単になる。
【００２０】
また、一の板の先端同士の間を摩擦攪拌接合用回転ツールの移動空間とできるため、他の板同士を接合するに際して、他の板の外側から摩擦攪拌接合用回転ツールを用いる必要がなく、一の板の側からの作業ですむ。一の板同士は平板からなる継手板を介して接続するが、一の板と継手板との接合も一の板の側から作業でき、どちらの板の接合作業も一の板側からの作業となり、製造方法及びそれに必要な設備が簡単になる。
【００２１】
請求項６に記載の発明は、２つの板同士を摩擦接合して構造物を製造する構造物製造方法において、一方の板と他方の板との少なくとも一方に接着剤を塗布する工程と、次に、前記一方の板と前記他方の板とを接着剤を塗った箇所で接触させて配置する工程と、次に、前記一方の板と前記他方の板とを摩擦接合を行うことにより前記板同士を接合させる工程とからなることを特徴としている。
【００２２】
この構成により、板と板とを接着剤で固定することにより、簡単にしっかりと仮止めができる。特に、接合する板同士に構造的な仮止め構造が設けられていない場合に有効である。
【００２３】
請求項７に記載の発明は、請求項５に記載の構造物製造方法において、前記継手板と前記一の板とを摩擦攪拌により接合する前に、前記継手板と前記一の板との少なくともいずれか一方に接着剤を塗布する工程を含むことを特徴としている。
【００２４】
この構成により、一の板と継手板とを接着剤で固定することにより、簡単にしっかりと仮止めできる。特に、接合する板同士に構造的な仮止め構造が設けられていない場合や設けられていても、中空構造型材が垂直に配置されていて構造的な仮止め構造の効果が期待できない場合に有効である。
【００２５】
【発明の実施の形態】
本発明の一実施形態について、図面を参照して説明する。
〈ボビン型摩擦攪拌回転ツール〉
摩擦接合をするため手段である摩擦攪拌接合回転ツールとして、ボビン型の摩擦攪拌接合回転ツール（以下単に「ボビンツール」と記す）３０を使用する。なお、以下において、特に断りがない限り、上とか下の語は絶対的な上下を規定する意図ではなく、相対的な関係を示しているにすぎず、配置によっては左右にも成り得るものである。
【００２６】
ボビンツール３０そのものは、公知の技術である。図２に示すようにボビンツール３０はピン３０ａ（請求項の「回転軸」に相当）をはさんで、略円柱状の上ショルダ３０ｂと略円柱状の下ショルダ３０ｃがある。ピン３０は円柱状であり、上ショルダ３０ａの下面（請求項の「対向する回転面」の一に相当）とこれに対抗する下ショルダ３０ｃの上面（請求項の「対向する回転面」の他の一に相当）の中心に接続固定されている。
【００２７】
上ショルダ３０ｂから連続する上方に広がり方向の円錐台形状の部分３０ｄがあり、この部分からさらに連続する上方にそれらよりも径の大きい略円柱状の部分３０ｅがある。この略円柱状の部分３０ｅ、円錐台形状の部分３０ｄ、上ショルダ３０ｂ、ピン３０ａ、下ショルダ３０ｃは一体となってそれらのセンターを貫く軸を中心に回転するものであり、図示していない回転駆動装置の駆動が略円柱状の部分３０ｅ側に伝えられて、これらが一体に回転する。
【００２８】
摩擦攪拌による固相接合は、ワークＷより実質的に固い材質からなる回転ツールの先端をワークＷの接合部に挿入し、回転ツールを回転させながら移動することにより、回転ツールとワークＷの間に生じる摩擦熱による塑性流動によってワークＷを接合する。ボビンツール３０では、摩擦攪拌接合に必要な摩擦熱を発生させるため、上下ショルダ３０ｂ、３０ｃの間隔は接合するワークＷの厚さよりやや狭くなっている。
【００２９】
このため、上下ショルダ３０ｂ、３０ｃとワークＷの間に押し付け力が発生し、摩擦攪拌接合に必要な摩擦熱が発生する。ワークＷとなる部材は、例えばアルミニウム合金などの摩擦攪拌接合の可能な部材からなる。このワークＷは、後述する中空構造材を構成する板や継手板に相当するものである。
【００３０】
〈ボビン型摩擦攪拌回転ツールの利点〉
ボビンツール３０によれば、押し付け力は上下ショルダ３０ｂ、３０ｃとワークＷに同時に、反対向きに発生し、互いに打ち消しあうから、ワークＷに対して一方の側のみから押し付け力を作用させて摩擦攪拌を行うプローブ型の回転ツールのように、支持部材１３を設けて、押し付け力を支持しなくてもワークＷが曲がって変形することはない。
【００３１】
また、摩擦攪拌接合の一般的な利点として、接合部分を溶融させることなく接合できるので加熱温度が低く、接合後のワークＷの変形がほとんどなく、接合部分は溶融されていないため、欠陥が少ない。
【００３２】
〈中空構造型材〉
図１の各図には、互いに接合される２つの中空構造型材４０が左右に並んで配置されている。中空構造型材４０である二面中空パネル４０ともいい、対向する２つの板４０ａ、４０ｂと両板４０ａ、４０ｂを接続支持する複数のリブ板４０ｃからなるハニカム構造である。複数のリブ板４０ｃはトラス状に配置され、複数のリブ板４０ｃの前記板４０ａ、４０ｂに対する傾斜方向は交互に反転している。この構造型材４０はアルミニウム合金などの摩擦攪拌接合可能な部材からなり、一般的には、押出しにて成形される。
【００３３】
図１（ａ）に示すように、接合する中空構造型材４０の下側の面板４０ｂを長くしておく。更に、中空構造型材４０の上側（作業する方から見て近い側）の面板４０ａは下面板４０ａよりも短い位置で切断し、または、中空構造型材４０の成形時に短い形状として押出し成形し、他方の中空構造型材４０の上面板４０ａとの間に間隔を設ける。即ち、対向する２つの板４０ａ、４０ｂは最も端のリブ板４０ｃとの接続部分よりも先端が延出しかつ前記対向する２つの板のうち一の板４０ａは他の板４０ｂよりも先端が短くなっている。
【００３４】
更に、上面板４０ａと下面板４０ｂとを結合するリブ板４０ｃと上面板４０ａと下面板４０ｂの端部は所定の長さ（Ｌ１、Ｌ２、Ｍ１、Ｍ２）だけ突出し、上面板同士４０ａの間隔（Ｎ１、Ｎ２）は所定の長さだけ確保するように形成されている。
【００３５】
即ち、接合する中空構造型材４０のうち少なくとも一方の、一の板である上面板４０ａと他の板である下面板４０ｂとの先端の短さ（Ｎ１、Ｎ２）は摩擦攪拌接続用回転ツールの半径よりも大きく。両方の短さ（Ｎ１、Ｎ２）を合計して摩擦攪拌接続用回転ツール３０の直径よりも大きくしている。好ましくは、接合する中空構造型材４０の両方とも、同程度の短さ（Ｎ１、Ｎ２）とするのが良い。これにより、中空構造型材４０同士を接続して構造物を製造するときに、上面板４０ａと摩擦攪拌接続用回転ツール３０の両側に同程度の間隔をとることができ、摩擦攪拌接続用回転ツール３０の位置決めや操作がし易くなるからである。
【００３６】
対向する２つの板である上面板４０ａと下面板４０ｂ、それぞれにおいて、最も端のリブ板４０ｃとの接続部分よりも延出する部分の長さ（Ｌ１、Ｌ２、Ｍ１、Ｍ２）がボビンツール３０の上下ショルダ３０ｂ、３０ｃの回転面の半径よりも長くしてある。これにより、中空構造型材４０同士を接続して構造物を製造するときに、支障なくボビンツール３０を用いることができる。
【００３７】
〈構造体の製造方法〉
このボビンツール３０により、中空構造型材４０である二面中空パネル（別名、ダブルスキンパネル）同士、あるいは中空構造型材４０とその補助材や補強材等を、突合せにて接合し、車体などの構造物を製造する方法を、図１に基いて、以下に説明する。なお、図１では、図の見易さを考慮して、中空構造型材４０が水平に配置されているが、垂直に支持して配置した場合も同様であり、車体などの構造物の製造には、垂直に配置されている場合に、特に、本発明の効果が大きい。
【００３８】
最初に中空構造型材４０同士が連続するように並べて配置するに際して、一の板である上面板４０ａの先端同士は間隔を空けて、他の板である下面板４０ｂの先端同士は付き合わせて配置する。
【００３９】
次に、この下面板４０ｂ同士をボビンツール３０により接合する。即ち、ボビンツール３０を用いて、上下シャフト３０ｂ、３０ｃの回転面により下面板４０ｂを挟んで下面板４０ｂ同士を摩擦攪拌により接合させながら、ボビンツール３０を上面板４０ａの先端同士の間隔（Ｎ１、Ｎ２）からなる空間を移動させて、接合を完了する。
【００４０】
次に、図１（ｂ）に示すように、一の板４０ａ同士の間に継手板４１を配置する。即ち、上面板４０ａの先端と継手板４１の端とが付き合わさるように、上面板４０ａ同士の間に継手板４１がはまるように配置する。この場合、図３や図４に関連して後述する手段を用いることにより、継手板４１を一の板４０ａに対して固定し易くできる。
【００４１】
また、後に詳述するように、一の板４０ａ同士の間に前記継手板４１を配置する前に、予め、少なくともいずれか一方の板に接着剤を塗布しておくことにより、一の板４０ａ同士の間に前記継手板４１をしっかりと仮止めすることができて、中空構造型材４０を垂直に配置して接合するような場合であっても、継手板４１をしっかりと仮止めできる。
【００４２】
次に、図１（ｂ）に示すように、ボビンツール３０を用いて前記継手板４１と前記一の板４０ａとを摩擦攪拌により接合する。即ち、上下シャフト３０ｂ、３０ｃの回転面により上面板４０ａの一端と継手板４１の一端を挟んで上面板４０ａと継手板４１とを摩擦攪拌により接合させながら、ボビンツール３０を上面板４０ａの外側から移動操作させて、接合を完了する。
【００４３】
次に、図１（ｃ）に示すように、図１（ｂ）に関して説明したのと同様に、継手板４１の他端ともう一方の上面板４０ａをボビンツール３０で接合する。
こうすることにより、支持部材を設けることなく、片側から中空構造型材４０の上下面板４０ａ、４０ｂをそれぞれ接合することができる。
【００４４】
このように、上下２枚の面板４０ａ、４０ｂを有する中空構造型材４０を、片側から、しかも、摩擦攪拌回転ツールの押し付け力に抗するための強固な支持部材等の特別の補助装置を用いること無く、接合することができる。
【００４５】
〈継手板の位置決め固定〉
図３に示すように、上面板４０ａの側面と継手板４２の側面に段を付けて嵌め合わせできるようにすることが好ましい。即ち、上面板４０ａは外表面側にへこんだ段状に先端側面が形成され、継手板４２は上面板４０ａの先端側面と合わさる段状に端部が形成されている。この場合、上面板４０ａの先端側面の段状形状が外表面に向かってへこんでいるため、継手板４２を上面板４０ａの外側からはめやすく、上面板４０ａと継手板４２との段状同士により簡単に位置決め固定できる。
【００４６】
図３に示すように、上面板４０ａと継手板４２との両方に段状を形成することが固定の安定性からは好ましいが、上面板４０ａと継手板４１、４２の一方のみに段状を形成しても、固定できる。図４に示すように、継手板４１の端部を段状に形成せず、上面板４０ａだけに段状を形成してもよい。また、図５のように、継手板４２の端部を内表面となる側にへこんだ段状に形成してもよい。
【００４７】
図６に示すように、上面板４０ａの側面と継手板４３の側面に傾斜を設けて嵌め合わせできるようにすることが好ましい。特に、上面板４０ａの傾斜は外側に向かって開く方向、即ち、一の板４０ａは先端側面が一の板４０ａの内表面から外表面に向かって開いた傾斜面になっていることが好ましい。これにより、継手板４２を上面板４０に対し位置決め固定し易いのみならず、継手板４３を一の板４０ａの外側から嵌めやすく、かつ、継手板４３と一の板４０ａとの接合部分が傾斜面同士であるため隙間ができ難いので、摩擦攪拌接合した際の欠陥を生じ難い。
【００４８】
〈接着剤の使用〉
図５の接合のように、中空構造型材５０が垂直に配置されているところでの接合においては、上述のような図３〜図６に示したような継手板４１の位置決め固定手段が設けられていても、自重での位置決めが不安定となる。このような場合や中空構造材が水平に配置された場合であっても継手板４１の端部等に位置決め固定手段が施されていない場合には、１の板４０ａ同士の間に、継手板４１を配置する前に、一の板４０ａの端部と継手板４１の端部との少なくとも一方に接着剤等を塗布して継手板４１板を一の板４０ａに仮付けしておくのが望ましい。
【００４９】
これにより、継手板４１板を一の板４０ａに簡単にしっかりと仮止めできる。なお、接着剤による仮止めによれば、摩擦接合で恒久的な固定ができた後に、仮止めのための部材や装置を除くなどの後処理作業の必要もないため、構造物製造方法が簡単になる。接着剤としては、シアノアクリルレート系、低温硬化エポキシ系、２液高性能エポキシ系やアクリル系等の接着剤の内で、摩擦攪拌接続により部材などが温度上昇するが、この温度上昇に起因するガス発生、例えば燃焼ガスの少ない接着剤を用いるのが好ましい。ガス発生が多い場合、作業空間の換気作業や換気設備の負担が多くなるからである。
【００５０】
〈接合の強度を上げる凸部〉
図７に示す中空構造型材４４のごとく、下面板４４ｂの接合箇所に接合相手の下面板４０ｂと重ね合わせとなる凸部４４ｃを設けることにより、接合の強度を上げることも可能である。なお、このように接合の強度を上げるための凸部４４ｃは接合箇所だけに設ければよく、接合箇所から離れたところの板厚までも厚くする必要はない。
【００５１】
図４、図５に示すように、上面板と継手板の接合箇所においても、いずれか一方の板に他方の板と重ね合わせとなる凸部を設けることは、下面板４０ｂ、４４ｂの場合と同様に、接合箇所の強度を上げることができる。この場合も、接合箇所のみに凸部があればよく、接合箇所と関係しないところの板厚までも厚くする必要はない。
【００５２】
〈鉄道車両の車体〉
本発明は、広く適応できるものであるが、好適な例として、鉄道車両の車体への適応について説明する。図８は鉄道車両の車体全体の概略断面構成を示し、符号Ｋの矢印の先にある箇所が中空構造型材５０、５１同士の接合箇所となる。図１では、中空構造型材を水平にした状態が示されているが、車体などに適応する場合には、垂直にした状態に配置される。
【００５３】
即ち、中空構造型材５０、５１同士の接合については図１に関する説明と基本的には同じであり、図８のＫの矢印の先の円印の箇所に適応した場合、図１の各図を右に９０度回転させた状態の配置となる。
【００５４】
図８に示すように、中空構造型財５０、５１を突合せて、立体的に配置し支持する。ボビンツール３０を車体の外側から挿入して、先ず、屋根構体１を構成する中空構造型材５０の車体内側の板（図１の左側の他の板４０ｂに相当）と側構体２を構成する中空構造型材５１の車体内側の板（図１の右側の他の板４０ｂに相当）とを接合する。図８に示す側構体２の断面の白抜きの部分は、窓が設置されることを想定しているが、中空構造型材５１がそのまま連続している場合もある。
【００５５】
次に、屋根構体１を構成する中空構造型材５０の外面板（図１の左側の一の板４０ａに相当）と側構体２を構成する中空構造型材５１の外面板（図１の右側の一の板４０ａに相当）との間に継手板（図１の継手板４１に相当）はめる。
【００５６】
次に、ボビンツール３０を用いて、継手板と屋根構体１を構成する中空構造型材５０の外面板（図１の左側一の板４０ａに相当）とを接合する。次に、継手板と側構体２を構成する中空構造型材５１の外面板（図１の右側の一の板４０ａに相当）とを接合する。
【００５７】
この場合、ボビンツール３０を中空構造型材５０、５１に車体の外側からのみ挿入でき、車体の内部にボビンツール３０を移動させる機器を設ける必要がなく、また、ボビンツール３０のある反対側、即ち、車両の内部に摩擦攪拌接合回転ツールの押し付け力に抗する支持部材を設ける必要がないことが、製造設備を簡単にし、製造作業も簡易としている。
【００５８】
また、従来のＭＩＧ溶接や埋れアーク溶接による場合と比較して、摩擦攪拌接合の採用により、接合部を溶融させることなく接合できるので加熱温度が低く、接合後の変形が少なく、且つ、歪や欠陥が少ないと言う利点を享受できる。従って、装置点数の大幅な削減、及び、製造作業工数の大幅な節減ができるとともに作業性の向上、及び、品質の向上が図れる。
【００５９】
さらに、上述したように、継手板４１を接着剤で仮付けすることにより、構造の簡素化、作業性の向上が図れる。また、上述したように、継手板４２、４３の端部に設けた段や斜面により位置決めが容易となり、作業性の向上が図れる。
【００６０】
以上、説明は図８に示すような、垂直に配置された構体同士の組立時の接合について述べたが、中空構造型材同士を略水平な状態に於いて接合し、構体を製作する場合にあっても、前述のように片側から、しかも、支持部材等の特別の補助装置を用いること無く、接合することができるので、中空構造型材の支持装置は自重を支える程度の簡易なもので良く、また、片面を接合した後で反対面を接合するために反転する必要が無い。
【００６１】
このことから、略水平な状態に配置した中空構造型材同士の接合の場合にあっても装置の簡素化、作業性の向上が図れる。部品点数及び組立工数を節減できるとともに作業性の向上と相俟って制作期間の短縮化が図れ、生産性の向上と大幅なコストダウンにより、堅牢で軽量な車両を安価に提供することができる。
【００６２】
なお、本発明は、車両の構体の製造に適したものとして説明をしているが、航空機、及び、船舶等の構体を形成する中空材を突合せて摩擦攪拌接合する場合にあっても適用できる。
【００６３】
【発明の効果】
以上説明した本発明においては以下の効果を奏する。
請求項１記載の発明によれば、中空構造型材同士を接合して構造物を製造するときに、中空構造型材が一の板も他の板もリブ板との接続部分よりも延出している部分を有する構成であるため、その部分をボビン型摩擦攪拌接合用回転ツールの回転面間で挟むことができ、ボビン型摩擦攪拌接合用回転ツールを用いて中空構造型材同士を接合できる。このためプロープ型の摩擦攪拌回転ツールを用いる場合のように、回転ツールを押し付ける力に抗するための支持部材を必要としない。
【００６４】
また、一の板の先端同士の間を摩擦攪拌接合用回転ツールの移動空間とすることができるため、他の板同士を接合するに際して、他の板の外側から摩擦攪拌接合用回転ツールを用いる必要がなく、中空構造型材を反転させることなく、一の板の側からの作業ですむ。一の板同士は平板からなる継手板を介して接続するが、一の板と継手板との接合も一の板の側から作業でき、どちらの板の接合作業も一の板側からの作業となり、作業及びそれに必要な設備が簡単になる。
【００６５】
請求項２記載の発明によれば、中空構造型材同士を接合するときに、継手板を一の板同士の間にはめて、継手板を介して一の板同士を接続するが、継手板を一の板の表側からはめて、継手板を一の板に対して位置決め固定できるので、操作が簡単である
【００６６】
請求項３記載の発明によれば、中空構造型材同士を接合するときに、継手板を一の板同士の間にはめて、継手板を介して一の板同士を接続するが、一の板の先端側面の段状形状が外表面側でへこんでいるため、又は、継手板の端部が内表面となる側でへこんであるため、継手板を一の板の外側からはめやすく、一の板と継手板との段状同士により簡単に位置決め固定できる。一の板と継手板の両方に段状を形成すると固定したときにより安定性がある。
【００６７】
請求項４記載の発明によれば、中空構造型材同士を接合するときに、一の板の先端側面の傾斜面に合わさる傾斜面を側面にもつ継手板を介して一の板同士を接続するが、一の板の先端側面は一の板の内表面から外表面に向かって開いた傾斜となっているため、継手板を一の板の外側からはめやすく、簡単に位置決め固定でき、かつ、継手板材と一の板との接合部分が傾斜面同士であるため、隙間ができ難いので、摩擦攪拌接合したときに欠陥が生じ難い。
【００６８】
請求項５記載の発明によれば、中空構造型材同士を接合して構造物を製造するときに、中空構造型材が一の板も他の板もリブ板との接続部分よりも延出している部分を有する構成であるため、その部分をボビン型摩擦攪拌接合用回転ツールの回転面間で挟むところにでき、ボビン型摩擦攪拌接合用回転ツールを用いて中空構造型材同士を接合できる。このためプロープ型の摩擦攪拌回転ツールを用いる場合のように、回転ツールを押し付ける力に抗するための架台などの冶具を必要としないので、冶具の準備や取り外しという操作が不要となり、製造方法が簡単になる。
【００６９】
また、一の板の先端同士の間を摩擦攪拌接合用回転ツールの移動空間とできるため、他の板同士を接合するに際して、他の板の外側から摩擦攪拌接合用回転ツールを用いる必要がなく、一の板の側からの作業ですむ。一の板同士は平板からなる継手板を介して接続するが、一の板と継手板との接合も一の板の側から作業でき、どちらの板の接合作業も一の板側からの作業となり、製造方法及びそれに必要な設備が簡単になる。
【００７０】
請求項６記載の発明によれば、板と板とを接着剤で固定することにより、簡単にしっかりと仮止めができる。特に、接合する板同士に構造的な仮止め構造が設けられていない場合に有効である。
【００７１】
請求項７記載の発明によれば、一の板と継手板とを簡単にしっかりと仮止めできる。特に、接合する板同士に構造的な仮止め構造が設けられていない場合や設けられていても、中空構造型材が垂直に配置されていて構造的な仮止め構造の効果が期待できない場合に有効である。
【図面の簡単な説明】
【図１】本発明の一実施形態に係る構造物製造方法及び中空構造型材を示す断面図
【図２】本発明の一実施形態に係るボビンツールでの接合を示す断面図
【図３】本発明の一実施形態に係る板同士の位置決め固定のための形状を示す断面図
【図４】本発明の別の実施形態に係る板同士の位置決め固定のための形状を示す断面図
【図５】本発明の別の実施形態に係る板同士の位置決め固定のための形状を示す断面図
【図６】本発明の別の実施形態に係る板同士の位置決め固定のための形状を示す断面図
【図７】本発明の別の実施形態に係る他の板同士の接合を示す断面図
【図８】本発明の一実施形態に係る車両の車体の製造途中の概略断面図
【図９】従来の構造物製造方法及び中空構造型材を示す断面図
【符号の説明】
１…屋根構体
２…側構体
３…床構体
１１…プローブ型回転ツール
１２…形状保持材
１３…支持部材
２０…中空パネル
２０ａ…上面板
２０ｂ…垂直リブ
２０ｃ…下面板
２１…継手板
３０…ボビンツール
３０ａ…ピン
３０ｂ…上ショルダ
３０ｃ…下ショルダ
４０…中空構造型材
４０ａ…上面板
４０ｂ…下面板
４０ｃ…リブ
４１…継手板
４２…継手板（段付き）
４３…継手板（傾斜付き）
４４…中空材
４４ｂ…下面板
４４ｃ…凸部
５０…中空構造型材
５１…中空構造型材
Ｋ…接合部
Ｗ…ワーク
Ｌ１、Ｌ２…リブ板からの一の板（上面板）の突出し量
Ｍ１、Ｍ２…リブ板からの他の板（下面板）の突出し量
Ｎ１、Ｎ２…一の板（上面板）と他の板（下面板）との先端の短さ
【図１】
2004243379.tif 000003
【図２】
2004243379.tif 000004
【図３】
2004243379.tif 000005
【図４】
2004243379.tif 000006
【図５】
2004243379.tif 000007
【図６】
2004243379.tif 000008
【図７】
2004243379.tif 000009
【図８】
2004243379.tif 000010
【図９】
2004243379.tif 000011